(57)【要約】【課題】先入れ先出しの原則を遵守できる物品収納ケースを得る。【解決手段】直方体である物品収納ケース１０の前板１５に、収納する物品ａの横幅よりも僅かに広い横幅でありかつ下端縁２１が底板１４よりも上位に位置している物品入口２０を形成する。物品入口２０側の側板１１には板バネ１７を取り付ける。前板１５の物品入口２０から離れた位置に、やはり収納する物品ａの横幅よりも僅かに広い横幅の物品取り出し口２５を形成する。底板１４、前板１５、側板１２には突条２６、２７、２８を形成する。【選択図】図１
2008194233.tif 000002
【特許請求の範囲】
【請求項１】
収納した物品を一方の側板に取り付けた板バネの付勢力により他方の側板に押し付けた姿勢とし、かつ該他方の側板に押し付けられた状態の物品を側板に沿って引き抜くことにより物品の取り出しが可能となっている物品収納ケースであって、
前記物品収納ケースは、全体が左右の側板と上板と底板と前板と後板とを備えた直方体であり、
前記前板の板バネを取り付けた側の側板側には収納する物品の横幅よりも僅かに広い横幅でありかつ下端縁が前記底板よりも上位に位置している物品入口が形成されており、
前記前板の前記他方の側板側には収納する物品の横幅よりも僅かに広い横幅の物品取り出し口が形成されている、
ことを特徴とする物品収納ケース。
【請求項２】
少なくとも前記底板の内側面には前記前板と平行方向の１条または１条以上の突条が形成されており、前記他方の側板には水平方向の１条または１条以上の突条が形成されていることを特徴とする請求項１に記載の物品収納ケース。
【請求項３】
前記物品取り出し口は前記上板および他方の側板側に連続した解放領域を持つことを特徴とする請求項１または２に記載の物品収納ケース。
【請求項４】
前記左右の側板は隣接する物品収納ケースを連接するための係止体を備えることを特徴とする請求項１〜３のいずれかに記載の物品収納ケース。
【請求項５】
前記収納ケースにおける収納した物品に付されている表記の少なくとも一部に対応する部位が透明な樹脂材料により形成されていることを特徴とする請求項１〜４のいずれかに記載の物品収納ケース。
【発明の詳細な説明】
【技術分野】
【０００１】
本発明は物品収納ケースに関する。
【背景技術】
【０００２】
収納した物品を収納ケースから１個ずつ取り出すことができるようにした物品収納ケースは知られている。また、そのような物品収納ケースにおいて、物品の収納と取り出しを容易にするために種々の提案がなされている。例えば、特許文献１は、図４に示すような物品収納ケースが開示されている。
【０００３】
この物品収納ケース１は、一方の側板（後方側の側板）２側に、収納する物品ａからの押圧力により屈曲する板バネ３が取り付けてあり、図４ａに示すように、上方の開放した部分から物品ａを挿入すると、該物品ａは、板バネ３を屈曲させながらケース１内に容易に収納される。収納された物品ａは、前記板バネ３の付勢力により他方の側板４側に押し付けられるので、安定した姿勢となる。物品ａを収納した後、図４ｂに示すように、ケース１には上蓋５が取り付けられる。収納した物品ａは、前記他方の側板４に沿って上方に引き抜くことにより、前記他方の側板４と上蓋５との間に形成される取り出し口６から１個ずつ容易に取り出することができる。
【０００４】
【特許文献１】特開平１０−１３７０８２号公報
【発明の開示】
【発明が解決しようとする課題】
【０００５】
上記のような物品収納ケースは、種々の物品を整頓した状態で収納しかつ保管するのに好適に用いられる。ところで、物品の中には許容保管日数が限られているものがあり、そのような物品を物品収納ケースに収納して保管する場合には、許容保管日数を超えない状態で物品の管理を容易に行えること、また、物品を収納する者と、そこから取り出して使用する者とが異なっている場合でも、容易かつ確実に当該物品の許容保管日数を厳守できること、等が物品収納ケースに求められる。そのような物品としては、例えば、医療用カテーテルの収容箱などが挙げられる。
【０００６】
その要請に答えるために、物品収納ケースには、先入れ先出しの原則（すなわち、収納された物品を収納した順番通りに取り出すこと）が遵守されやすい構成を備えること、また、物品入口を通して一旦収納した物品を本来の物品取り出し口以外の箇所からは取り出すことができない構成を備えること、等が望まれる。しかし、上記した従来の物品収納ケースは、上蓋５を取り外した状態で複数個の物品を同時に挿入できるようになっており、十分な注意を払わないと、保管期限の日時順に物品がケース内に並ばないことが起こり得る。
【０００７】
また、物品収納後に上蓋５を取り外すことにより、収納した複数個の物品のいずれをも取り出すことが可能であり、例えば物品を収納した者でないものが、物品を取り出そうとするときに、最前に位置する本来取り出すべき物品以外の物品を取り出してしまうことも起こり得る。収納空間に余裕ができて新たに物品を補充するときには、上蓋５を取り外すこととなるが、そのときにも、上記の不都合が生じる可能性がある。
【０００８】
そのようなことから、従来の物品収納ケースは、先入れ先出しの原則が遵守されない可能性を内在しており、許容保管日数を厳守しなければならない、例えば医療用カテーテル収容箱のような物品の収納ケースとしては、充分満足するものではなかった。
【０００９】
本発明は、上記の不都合を解消した改良された物品収納ケースを開示することを課題とする。
【課題を解決するための手段】
【００１０】
本発明による物品収納ケースは、収納した物品を一方の側板に取り付けた板バネの付勢力により他方の側板に押し付けた姿勢とし、かつ該他方の側板に押し付けられた状態の物品を側板に沿って引き抜くことにより物品の取り出しが可能となっている物品収納ケースであって、該物品収納ケースは、全体が左右の側板と上板と底板と前板と後板とを備えた直方体であり、前記前板の板バネを取り付けた側の側板側には収納する物品の横幅よりも僅かに広い横幅でありかつ下端縁が前記底板よりも上位に位置している物品入口が形成されており、前記前板の前記他方の側板側には収納する物品の横幅よりも僅かに広い横幅の物品取り出し口が形成されていることを特徴とする。
【００１１】
上記の物品収納ケースは、物品を収納できる入口は前板に備えた１箇所のみであり、さらにその物品入口は収納する物品の横幅よりも僅かに広い横幅であるので、複数個の物品が同時にケース内に入り込むことはない。そのために、所要の順番で、例えば保管期限日の順番で、物品をケース内に確実に収納できる。また、前記物品入口の下端縁は前記底板よりも上位に位置しているので、入り込んだ物品は、その底面が物品入口を通過した直後に底板まで落下するようになり、単に引き出すだけでは、その物品を物品入口からは取り出すことができない。
【００１２】
収納された物品は、板バネの作用により物品取り出し口側に送られるが、物品取り出し口と物品入口との間は前板により実質的に閉鎖された状態にあり、また上板と下板にも開放部はないので、収納された物品は物品取り出し口以外からは取り出すことができず、かつ、収納した順番を変更することもできない。さらに、物品取り出し口の横幅は、収納する物品の横幅よりも僅かに広い横幅であり、２つの物品を同時に取り出すこともできない。そのために、収納した物品に対する先入れ先出しの原則は確実に守られる。
【００１３】
本発明による物品収納ケースにおいて、好ましくは、少なくとも前記底板の内側面には前板と平行方向の１条または１条以上の突条が形成され、前記他方の側板には水平方向の１条または１条以上の突条が形成される。必要な場合には、前板の内側面にも水平方向の突条が形成される。この態様では、収納された物品は前記突条に接した状態でケース内を移動することができるので、収納物品とケース本体との間の摩擦抵抗が底減する。それにより、板バネの付勢力により他方の側板に向けて移動することが容易となり、また、物品取り出し口から物品を取り出すことも容易となる。
【００１４】
本発明による物品収納ケースにおいて、好ましくは、前記物品取り出し口は前記上板および他方の側板側に連続した解放領域を持つ。この態様では、収納物品を取り出す者が収納された物品へアクセスできる領域が広くなり、取り出しが容易となる。
【００１５】
本発明による物品収納ケースにおいて、隣接する物品収納ケースを連接するための係止体を前記左右の側板に備えるようにしてもよい。この態様では、必要なときに２個以上の物品収納ケースを安定した状態で横方向は連続配置することができる。係止体の具体例としては、フック、面テープあるいは磁石プレート等が挙げられる。
【００１６】
本発明による物品収納ケースにおいて、好ましくは、収納ケースにおける収納した物品に付されている表記の少なくとも一部に対応する部位が透明な樹脂材料により形成される。全体が透明な樹脂材料により形成されていてもよい。透明な樹脂材料としては、アクリル系樹脂、ポリスチレン系樹脂、ポリカーボネート系樹脂、ポリエチレン系樹脂、ポリエチレンテレフタレート系樹脂、塩化ビニル系樹脂、ＡＳ樹脂等を挙げることができる。この態様では、収納した物品の必要箇所または全体を外から見ることができるので、その表記の一つであるラベル等を外から観察することにより、保管期限を見落とすような事態が生じるのを確実に回避することができる。
【００１７】
本発明による物品収納ケースに収納する物品として、上記では保管期限を厳守すべき物品を例として説明したが、それに限らず、書籍、ＣＤ、ＤＶＤのような扁平な物品一般のための収納ケースとして使用できることも当然である。
【発明の効果】
【００１８】
本発明による物品収納ケースを用いることにより、保管期限が定められている物品を先入れ先出しの原則を確実に遵守ながら保管することが可能となる。もちろん、他の物品の物品収納ケースとしても効果的に用いることができる。
【発明を実施するための最良の形態】
【００１９】
以下、図面を参照しながら、本発明による物品収納ケースの一実施の形態を説明する。図１ａは物品収納ケースの一例を斜視図で示し、図１ｂは図１ａのｂ−ｂ線による断面を示す。図２は物品収納ケースに物品を収納してから取り出すまでの状態を段階的に示している。図３ａは隣接する２つの物品収納ケースを連接する前の状態を、図３ｂは連接後の状態を示している。
【００２０】
図に示すように、本発明による物品収納ケース１０は全体として直方体形状であり、この例ではアクリルのような透明な樹脂材料で全体が作られている。前記したように、収納ケース１０に収納した物品に付されている表記（例えばラベル等）の少なくとも一部に対応する部位のみを透明な樹脂材料により形成するようにしてもよい。物品収納ケース１０は、左右の側板１１、１２と、上板１３と、底板１４と、前板１５と、後板１６とを有する。一方の側板１１の内側面には、上板１３および下板１４と平行方向に延在する板バネ１７が取り付けられている。
【００２１】
板バネ１７は、取り付け基部１７ａと、基部１７ａから他方の側板１２側に向けて延びる第１傾斜部１７ｂと、第１傾斜部１７ｂの頂部１７ｃから前記側板１１側に向けて延びる第２傾斜部１７ｄを備える（図１ｂ参照）。無負荷状態で板バネ１７の前記頂部１７ｃは他方の側板１２に近接した位置にある。板バネ１７の長さは、前記頂部１７ｃが一方の側板１１に近接するまで押し付けられた状態で、その端部が後板１６に当接しない長さとされている。なお、図では、１本の板バネ１７を示したが、２本以上の板バネ１７・・を平行して取り付けるようにしてもよい。
【００２２】
前記前板１５には、物品入口２０および物品取り出し口２５が形成される。物品入口２０は、前板１５の、前記板バネ１７を取り付けた側板１１側に形成され、図２ａに示すように、その横幅Ｗは収納しようとする物品ａの横幅Ｗａよりも僅かに広い。ただし、横幅Ｗは物品ａの横幅Ｗａの２倍よりは大きくない。また、物品入口２０の下端縁２１は前記底板１４よりも上位に位置しており、それにより、物品入口２０の下端には前板１５による堰が形成される。
【００２３】
物品取り出し口２５は、前板１５の前記他方の側板１２側に形成されており、物品入口２０と物品取り出し口２５とは前板１５の一部１５ａにより、全体が離れた状態、すなわち連続しない状態とされている。図示しないが、一部が連続していても差し支えない。物品取り出し口２５は、物品入口２０と同様に、その横幅は収納しようとする物品ａの横幅Ｗａよりも僅かに広くされるが、物品ａの横幅Ｗａの２倍よりは大きくない。
【００２４】
物品取り出し口２５は前板１５の領域にのみ形成されていてもよい。しかし、図示の例では、前板１５の物品取り出し口２５に相当する部分に連続する上板１３および他方の側板１２の一部が後板１６側に向けて切り欠かれており、それにより、物品取り出し口２５は上板１３および他方の側板１２側に連続した解放領域を有している。それにより、物品ａの取り出しを容易化している。
【００２５】
底板１４の内側面には、前板１５に平行な方向に走る突条２６が形成されている。前板１５の前記物品入口２０の下端縁２１よりも下位の領域の内側面にも水平方向に走る突条２７が形成されている。さらに、前記他方の側板１２の内側面にも水平方向に走る２本の突条２８が形成されている。これらの突条２６、２７、２８の本数は任意であり、制限はない。また、これらの突条２６、２７、２８のすべてまたはいずれかを省略することもできる。
【００２６】
必須のものではないが、一方の側板１１には開口３０が形成されており、他方の側板１２には、隣接する物品収納ケース１０に形成した前記開口３０に係脱自在に係合することができる下方に向けて屈曲したフック３１が形成されている。
【００２７】
次に、図２を参照して、上記物品収納ケース１０の使用態様を説明する。図２ａに示すように、空の状態の物品収納ケース１０に対して、物品入口２０から最初の物品ａ１を挿入する。物品は扁平かつ矩形状のものであり、前記したようにその横幅はＷａである。物品入口２０の横幅Ｗは、２×Ｗａよりも狭いので、２つの物品ａを同時に入れることはできない。物品１ａを挿入すると、その前方側端面は板バネ１７の前記第１傾斜部１ｂに衝接する。さらに挿入すると、板バネ１７を一方の側板１１側に次第に押し付けながら、物品ａ１は物品収納ケース１０内に入っていく（図２ｂ）。
【００２８】
物品ａ１の後方側端面が物品入口２０を超えたときに、物品ａ１の後方側端面は底板１４に向けて落下する。物品入口２０の下端には前記したように前板１５による堰が形成されているので、一旦物品収納ケース１０内に収納された物品ａ１は、そのままでは引き出すことができない。物品収納ケース１０内に入り込んだ物品ａ１は、直ちに板バネ１７の付勢力により他方の側板１２側に向けて移動する。そして、側板１２に押し付けられた姿勢となり安定する。その状態が図２ｃに示される。底板１４と前板１５の内側面には突条２６、２７が形成されており、板バネ１７の付勢力による物品ａ１の移動は円滑に進行する。
【００２９】
次に、図２ｃに示すように、２枚目の物品ａ２を同様にして物品入口２０から挿入し、以下、それを繰り返す。図２ｄには３枚の物品ａ１、ａ２、ａ３が収納された状態が示される。物品収納ケース１０は物品入口２０と物品取り出し口２５を除いて閉じられており、また物品入口２０と物品取り出し口２５の間は不連続であり、前板１５の一部１５ａにより閉じられているので、物品収納ケース１０内に収納された複数個の物品ａ１〜ａｎ（図示のものではａ１〜ａ３）の順番を人為的に入れ替えることはできず、入れた順番をそのまま維持して保管される。
【００３０】
図２ｅは、物品収納ケース１０の物品取り出し口２５から物品ａ１を取り出す状態を示している。取り出す順番は、側板１２に最も近接している物品ａ１から取り出すことになるが、前記したように物品取り出し口２５の横幅は、２×Ｗａよりも狭いので、２つの物品ａ１、ａ２を同時に取り出すことはできない。また、２番目の物品ａ２のみを取り出すこともできない。従って、本発明による物品収納ケース１０では、入れた順番にのみ物品ａ１〜ａｎを取り出すことができ、先入れ先出しの原則が遵守される。物品ａ１を取り出す際に、物品ａ１と側板１２とは、側板１２の内側面に形成した突条２８とのみ接しているので、取り出しは容易である。
【００３１】
１番目あるいは１番目と２番目の物品を取り出した後、空いたスペースに物品入口２０から新たな物品ａを補充することとなるが、それ以降も、先入れ先出しの原則が崩れることはない。
【００３２】
２つ以上の物品収納ケース１０を使用する場合には、図３ａに示すように、２つの物品収納ケース１０を隣接させ、一方の側板１１に形成した開口３０内に、隣接する物品収納ケース１０の他方の側壁１２に形成した下方に向けて屈曲したフック３１を係止させる。それにより、図３ｂに示すように、２個以上の物品収納ケースを安定した状態で横方向に連続配置することができる。開口３０およびフック３１に替え、面テープや磁石プレートを側板１１，１２に取り付けるようにしてもよい。
【図面の簡単な説明】
【００３３】
【図１】本発明による物品収納ケースの一例を示しており、図１ａは斜視図を、図１ｂは図１ａのｂ−ｂ線による断面を示す。
【図２】図１に示す物品収納ケースに物品を収納してから取り出すまでの状態を段階的に示している。
【図３】図３ａは隣接する２つの物品収納ケースを連接する前の状態を、図３ｂは連接後の状態を示している。
【図４】従来の物品収納ケースの一例を説明するための図であり、図４ａは物品を収納する途中の状態を、図４ｂは物品収納後の状態を示している。
【符号の説明】
【００３４】
１０…物品収納ケース、１１、１２…左右の側板、１３…上板、１４…底板、１５…前板、１６…後板、１７…板バネ、１７ａ…取り付け基部、１７ｂ…第１傾斜部、１７ｃ…頂部、１７ｄ…第２傾斜部、２０…物品入口、２１…物品入口の下端縁、２５…物品取り出し口、２６、２７、２８…突条、３０…開口、３１…フック
【図１】
2008194233.tif 000003
【図２】
2008194233.tif 000004
【図３】
2008194233.tif 000005
【図４】
2008194233.tif 000006